【手続補正書】
【提出日】平成27年6月30日(2015.6.30)
【手続補正１】
【補正対象書類名】明細書
【補正対象項目名】０００６
【補正方法】変更
【補正の内容】
【０００６】
【特許文献１】特開２００２−３３１９８号公報
【特許文献２】特開２００６−２７８２４１号公報
【特許文献３】特開２００９−１２８６７１号公報
【手続補正２】
【補正対象書類名】特許請求の範囲
【補正対象項目名】全文
【補正方法】変更
【補正の内容】
【特許請求の範囲】
【請求項１】
複数の画素電極と、
それぞれの前記画素電極の少なくとも中央部を囲むように設けられたバンクと、
前記複数の画素電極上に設けられた有機エレクトロルミネッセンス層と、
前記有機エレクトロルミネッセンス層上から前記バンク上に至るように形成された光透過性の共通電極と、
前記バンクに重なるブラックマトリクス層と、
前記ブラックマトリクス層に設けられたスペーサと、
前記スペーサに載るように前記ブラックマトリクス層に設けられた配線と、
を有し、
前記ブラックマトリクス層は、前記スペーサを介して前記バンク上に配置され、
前記配線は、前記スペーサに載ることで凸部が形成され、前記凸部が前記バンクの上方で前記共通電極と電気的に接続し、
前記ブラックマトリクス層は第１の方向に延びる第１の部分と、前記第１の方向と交差する第２の方向に延びる第２の部分とを含むと共に、前記第１の部分と前記第２の部分とが交差する複数の交差部を備え、
前記複数の交差部は、平面的に見て、前記スペーサと重畳している交差部と前記スペーサと重畳していない交差部とを含むことを特徴とする有機エレクトロルミネッセンス表示装置。
【請求項２】
請求項１に記載された有機エレクトロルミネッセンス表示装置において、
前記複数の画素電極の下にある絶縁層と、
前記絶縁層の下にある複数の薄膜トランジスタと、
前記バンクの下方で、前記絶縁層を貫通して、前記画素電極を前記薄膜トランジスタに電気的に接続するコンタクトと、
をさらに有し、
隣同士の２つ以上の前記画素電極にそれぞれが接続する２つ以上の前記コンタクトは、隣り合うように配置され、
前記バンクは、前記２つ以上の前記コンタクトを連続的に覆う被覆部を有し、
前記被覆部上に前記スペーサが位置し、前記被覆部上で前記配線の前記凸部が前記共通電極と電気的に接続することを特徴とする有機エレクトロルミネッセンス表示装置。
【請求項３】
請求項１又は２に記載された有機エレクトロルミネッセンス表示装置において、
前記有機エレクトロルミネッセンス層は、白色光を発するように構成されていることを特徴とする有機エレクトロルミネッセンス表示装置。
【請求項４】
請求項１から３のいずれか１項に記載された有機エレクトロルミネッセンス表示装置において、
前記有機エレクトロルミネッセンス層に重なるカラーフィルタ層をさらに有することを特徴とする有機エレクトロルミネッセンス表示装置。
【請求項５】
請求項４に記載された有機エレクトロルミネッセンス表示装置において、
前記有機エレクトロルミネッセンス層と前記カラーフィルタ層との間にスペースが形成されていることを特徴とする有機エレクトロルミネッセンス表示装置。
【請求項６】
第１の画素電極を含む第１の画素と、
前記第１の画素と隣接し、第２の画素電極を含む第２の画素と、
第３の画素電極を含む第３の画素と、
前記第３の画素と隣接し、第４の画素電極を含む第４の画素と、
前記第１の画素、前記第２の画素、前記第３の画素及び前記第４の画素を相互に区分するバンクと、
前記第１の画素、前記第２の画素、前記第３の画素及び前記第４の画素を覆う共通電極と、
前記第１の画素、前記第２の画素、前記第３の画素及び前記第４の画素と前記共通電極との間に位置する有機エレクトロルミネッセンス層と、
平面的に見て前記バンクと重畳する複数のスペーサと、
を備え、
前記バンクは、前記第１の画素と前記第２の画素との間に位置する第１の面と、前記第３の画素と前記第４の画素との間に位置する第２の面と、を有し、
前記複数のスペーサの内の１つのスペーサは、平面的に見て前記第１の面と重畳して配置され、
前記第１の面と、前記１つのスペーサと、前記共通電極とが重なって配置され、
前記複数のスペーサは、平面的に見て第２の面と重畳する位置には配置されていないことを特徴とする有機エレクトロルミネッセンス表示装置。
【請求項７】
請求項６に記載の有機エレクトロルミネッセンス表示装置において、
前記第１の画素電極、前記第２の画素電極、前記第３の画素電極及び前記第４の画素電極が形成された第１の基板と、
前記第１の基板と対向する第２の基板と、
を備え、
前記第２の基板は、前記共通電極と電気的に接続する導電膜を有し、
前記導電膜は、平面的に見て前記第１の面と重畳し、
前記導電膜と、前記１つのスペーサと、前記共通電極と、前記第１の面とが重なって配置されていることを特徴とする有機エレクトロルミネッセンス表示装置。
【請求項８】
第１の画素と、前記第１の画素と隣接する第２の画素と、を含む複数の画素と、
前記複数の画素を相互に区分するバンクと、
前記第１の画素と前記第２の画素とを覆う共通電極と、
前記第１の画素及び前記第２の画素と前記共通電極との間に位置する有機エレクトロルミネッセンス層と、
平面的に見て前記バンクと重畳する複数のスペーサと、
を備え、
前記第１の画素は、第１の画素電極と第１の薄膜トランジスタとを有し、
前記第２の画素は、第２の画素電極と第２の薄膜トランジスタとを有し、
前記第１の画素電極は、前記第１の薄膜トランジスタと第１のコンタクトホールを介して接続し、
前記第２の画素電極は、前記第２の薄膜トランジスタと第２のコンタクトホールを介して接続し、
前記複数のスペーサの内の１つのスペーサは、前記第１のコンタクトホールと前記第２のコンタクトホールとの両方に隣接する位置に配置されていることを特徴とする有機エレクトロルミネッセンス表示装置。
【請求項９】
請求項８に記載の有機エレクトロルミネッセンス表示装置において、
前記１つのスペーサは、前記第１のコンタクトホールと前記第２のコンタクトホールとの間に位置していることを特徴とする有機エレクトロルミネッセンス表示装置。
【請求項１０】
請求項８又は請求項９に記載の有機エレクトロルミネッセンス表示装置において、
前記バンクは、前記第１のコンタクトホールと前記第２のコンタクトホールとを覆っていることを特徴とする有機エレクトロルミネッセンス表示装置。
【請求項１１】
請求項８から請求項１０の何れか１項に記載の有機エレクトロルミネッセンス表示装置において、
前記第１の画素電極と前記第２の画素電極とが形成された第１の基板と、
前記第１の基板と対向する第２の基板と、
を備え、
前記第２の基板は、前記共通電極と電気的に接続する導電膜を有し、
前記導電膜は、平面的に見て前記バンクと重畳し、
前記導電膜と、前記１つのスペーサと、前記共通電極と、前記第バンクとが重なって配置されていることを特徴とする有機エレクトロルミネッセンス表示装置。
【請求項１２】
請求項８から請求項１１の何れか１項に記載の有機エレクトロルミネッセンス表示装置において、
前記１つのスペーサは、前記複数の画素の内の２つの画素の境界部に配置され、
前記第１のコンタクトホールと前記第２のコンタクトホールとは、前記境界部に位置することを特徴とする有機エレクトロルミネッセンス表示装置。
【請求項１３】
請求項８から請求項１２の何れか１項に記載の有機エレクトロルミネッセンス表示装置において、
複数の発光領域を備え、
前記複数の画素の各々は、前記複数の発光領域の各々を含み、
前記１つのスペーサは、前記複数の発光領域の内の２つの発光領域の境界部に配置され、
前記第１のコンタクトホールと前記第２のコンタクトホールとは、前記境界部に位置することを特徴とする有機エレクトロルミネッセンス表示装置。